【手続補正書】
【提出日】平成15年9月26日(2003.9.26)
【手続補正１】
【補正対象書類名】明細書
【補正対象項目名】特許請求の範囲
【補正方法】変更
【補正の内容】
【特許請求の範囲】
【請求項１】
一対のガラス基板の間に液晶を挟んで保持され、
前記基板の一方にはアクティブマトリクス回路と駆動回路とが配置されており、
前記駆動回路上には樹脂材料でなる層間絶縁膜が配置されており、
前記液晶は封止材によって封止されており、
前記層間絶縁膜と前記封止材とは一部において重なっており、
前記層間絶縁膜は前記封止材により外部から遮断されていることを特徴とする表示装置。
【請求項２】
一対のガラス基板の間に液晶を挟んで保持され、
前記基板の一方にはアクティブマトリクス回路と駆動回路とが配置されており、
前記駆動回路上には樹脂材料でなる層間絶縁膜が配置されており、
前記液晶は封止材によって封止されており、
前記層間絶縁膜と前記封止材とは一部において重なっており、
前記層間絶縁膜は前記封止材により外部から遮断されていることを特徴とする液晶パネルを具備した表示機能を有する装置。
【請求項３】
請求項１において、前記層間絶縁膜はポリイミド樹脂でなることを特徴とする表示装置。
【請求項４】
請求項１において、前記封止材はフィラーを含有したエポキシ樹脂でなることを特徴とする表示装置。
【請求項５】
請求項２において、前記層間絶縁膜はポリイミド樹脂でなることを特徴とする液晶パネルを具備した表示機能を有する装置。
【請求項６】
請求項２において、前記封止材はフィラーを含有したエポキシ樹脂でなることを特徴とする液晶パネルを具備した表示機能を有する装置。
【請求項７】
一対のガラス基板の間に液晶を挟んで保持され、
前記基板の一方にはアクティブマトリクス回路と周辺駆動回路とが配置されており、
前記周辺駆動回路上には層間絶縁膜としてポリイミドでなる樹脂材料が配置されており、
前記液晶はエポキシ樹脂でなる封止材によって封止されており、
前記樹脂材料と前記封止材とは一部において積層されており、
前記封止材は前記周辺駆動回路を構成する薄膜トランジスタのソースに接続された配線及び前記樹脂材料と接していることを特徴とする表示装置。
【請求項８】
一対のガラス基板の間に液晶を挟んで保持され、
前記基板の一方にはアクティブマトリクス回路と周辺駆動回路とが配置されており、
前記周辺駆動回路上には層間絶縁膜としてポリイミドでなる樹脂材料が配置されており、
前記液晶はエポキシ樹脂でなる封止材によって封止されており、
前記樹脂材料と前記封止材とは一部において積層されており、
前記封止材は前記周辺駆動回路を構成する薄膜トランジスタのソースに接続された配線及び前記樹脂材料と接していることを特徴とする液晶パネルを具備した表示機能を有する装置。
【請求項９】
一対のガラス基板の間に液晶を挟んで保持され、
前記基板の一方にはアクティブマトリクス回路と周辺駆動回路とが配置されており、
前記周辺駆動回路上には層間絶縁膜として無機材料及び該無機材料上に有機樹脂材料が配置されており、
前記液晶はエポキシ樹脂でなる封止材によって封止されており、
前記有機樹脂材料と前記封止材とは前記周辺駆動回路上において積層されており、
前記封止材は前記無機材料と接していることを特徴とする表示装置。
【請求項１０】
一対のガラス基板の間に液晶を挟んで保持され、
前記基板の一方にはアクティブマトリクス回路と周辺駆動回路とが配置されており、
前記周辺駆動回路上には層間絶縁膜として無機材料及び該無機材料上に有機樹脂材料が配置されており、
前記液晶はエポキシ樹脂でなる封止材によって封止されており、
前記有機樹脂材料と前記封止材とは前記周辺駆動回路上において積層されており、
前記封止材は前記無機材料と接していることを特徴とする液晶パネルを具備した表示機能を有する装置。
【請求項１１】
請求項９において、前記無機材料は窒化珪素でなることを特徴とする表示装置。
【請求項１２】
請求項１０において、前記無機材料は窒化珪素でなることを特徴とする液晶パネルを具備した表示機能を有する装置。
【手続補正２】
【補正対象書類名】明細書
【補正対象項目名】００１１
【補正方法】変更
【補正の内容】
【００１１】
【課題を解決するための手段】
本明細書で開示する発明の一つは、
一対のガラス基板の間に液晶を挟んで保持した構成を有し、
前記基板の一方にはアクティブマトリクス回路と駆動回路とが配置されており、
前記駆動回路上には層間絶縁膜として樹脂材料が配置されており、
前記液晶は封止材によって封止されており、
前記層間絶縁膜と前記封止材とは一部において積層されており、
前記封止材によって前記樹脂材料は外部から遮断されていることを特徴とする表示装置である。


【手続補正３】
【補正対象書類名】明細書
【補正対象項目名】００１２
【補正方法】変更
【補正の内容】
【００１２】
他の発明の構成は、
一対のガラス基板の間に液晶を挟んで保持され、
前記基板の一方にはアクティブマトリクス回路と駆動回路とが配置されており、
前記駆動回路上には樹脂材料でなる層間絶縁膜が配置されており、
前記液晶は封止材によって封止されており、
前記層間絶縁膜と前記封止材とは一部において重なっており、
前記層間絶縁膜は前記封止材により外部から遮断されていることを特徴とする液晶パネルを具備した表示機能を有する装置である。


【手続補正４】
【補正対象書類名】明細書
【補正対象項目名】００１５
【補正方法】変更
【補正の内容】
【００１５】
他の発明の構成は、
一対のガラス基板の間に液晶を挟んで保持され、
前記基板の一方にはアクティブマトリクス回路と周辺駆動回路とが配置されており、
前記周辺駆動回路上には層間絶縁膜としてポリイミドでなる樹脂材料が配置されており、
前記液晶はエポキシ樹脂でなる封止材によって封止されており、
前記樹脂材料と前記封止材とは一部において積層されており、
前記封止材は前記周辺駆動回路を構成する薄膜トランジスタのソースに接続された配線及び前記樹脂材料と接していることを特徴とする。


【手続補正５】
【補正対象書類名】明細書
【補正対象項目名】００１６
【補正方法】変更
【補正の内容】
【００１６】
上記構成においては、封止材を構成するエポキシ樹脂が一部において、有機物と接触し、その部分では高い封止性を発揮するようにすることが特徴となる。


【手続補正６】
【補正対象書類名】明細書
【補正対象項目名】００１７
【補正方法】変更
【補正の内容】
【００１７】
他の発明の構成は、
一対のガラス基板の間に液晶を挟んで保持され、
前記基板の一方にはアクティブマトリクス回路と周辺駆動回路とが配置されており、
前記周辺駆動回路上には層間絶縁膜として無機材料及び該無機材料上に有機樹脂材料が配置されており、
前記液晶はエポキシ樹脂でなる封止材によって封止されており、
前記有機樹脂材料と前記封止材とは前記周辺駆動回路上において積層されており、
前記封止材は前記無機材料と接していることを特徴とする。


【手続補正７】
【補正対象書類名】明細書
【補正対象項目名】００１８
【補正方法】変更
【補正の内容】
【００１８】
上記構成において、無機材料は窒化珪素でなることを特徴とする。
【手続補正８】
【補正対象書類名】明細書
【補正対象項目名】００１９
【補正方法】変更
【補正の内容】
【００１９】
上記構成を採用することで、周辺駆動回路に加わる応力を緩和することができ、かつ図１の１００又は図２の２００で示される部分における封止機能を高めることができる。


【手続補正９】
【補正対象書類名】明細書
【補正対象項目名】００２１
【補正方法】変更
【補正の内容】
【００２１】
特に図１の１００又は図２の２００で示す部分では、封止材１１５が無機物（無機膜）である配線１０８又は窒化珪素膜１０５と接触し、高い密着性を得ることができる。こうすることで、この部分では高い封止性を得ることができる。